(57)【要約】【課題】施設の入浴介助時のお風呂上りなどに、利用者が、移乗の際にタオルをずれにくくし、車いす上で快適に過ごせるようにする。【解決手段】正方形のタオル地を利用し、取り付け部材２、２ａ、３、３ａを、肘掛け側の両コーナーに縫いつけ、車いすの背もたれ部と肘掛けに掛け、取り付け部材を肘掛けの部分で留めると、利用者が移乗の際にずれにくくなる。【選択図】  図１
2005111235.tif 000002
【特許請求の範囲】
【請求項１】
正方形のタオル地を利用し、取り付け部材を、肘掛け側の両コーナーに縫いつけ、車いすの背もたれ部と肘掛けに掛け、利用者が移乗の際に、ずれにくくした車いすに敷くタオル。
【発明の詳細な説明】
【発明の詳細な説明】
【産業上の利用分野】
【０００１】この発明の車いす用敷きタオルを、障害者や高齢者の施設や在宅での入浴介助時のお風呂上りなどに、車いすに敷いておくと、移乗の際にずれにくく、利用者が車いす上で快適に過ごせる。
【背景技術】
【０００２】従来、施設の入浴介助時のお風呂上りなどには、バスタオルなどが使われているが、車いすに敷かれることがほとんどなく、車いすに敷いても、移乗の際にずれやすく、また、バスタオルは長方形のため、両方の肘掛けに掛からず、車いす上で快適に過ごせない状態であり、バスタオルが車いすの車輪に巻き付き危険な状況もあった。
【発明が解決しようとする課題】
【０００３】施設や在宅の入浴介助時のお風呂上りなどに、利用者が、移乗の際に、敷かれたタオルをずれにくくし、車いす上で快適に過ごせるようにする。
【課題を解決するための手段】
【０００４】施設や在宅の入浴介助時のお風呂上りなどに、車いすに、この敷きタオルを敷き、左右の肘掛けおよび背もたれに、縫いつけてある接合部材を合わせて、タオルを車いすに留めると、移乗の際、ずれにくくなる。
【０００５】本発明で、車いすとは、車輪がついていて、移動できるいすのことであり、タオルとは、パイルのある布地のことである。
【作用】
【０００６】入浴介助時、お風呂上りに車いすへ座ってもらう場合、利用者が移乗する際に、ずれにくくした車いすに敷くタオルである。
【発明の実施形態】
【０００７】  図１に示すような正方形のタオル地を利用し、取り付け部材２、２ａ、３、３ａを、肘掛け側の両コーナーに縫いつけ、車いすの背もたれ部と肘掛けに掛け、取り付け部材を肘掛けに留めて、利用者が移乗の際に、ずれにくくした車いすに敷くタオル。
【０００８】  図２に示すように、２ａ、３ａの代わりに、２ｂ、３ｂの取り付け部材を、肘掛け側の両コーナーに縫いつけ、車いすの背もたれ部と肘掛けに掛け、取り付け部材を肘掛けに留めて、利用者が移乗の際に、ずれにくくした車いすに敷くタオル。
【０００９】  図１のタオルの背もたれ部に、取り付け部材４、９、１０を加えて縫いつけた図３に示すようなタオルを、車いすの背もたれ部と肘掛けに掛け、肘掛けの取り付け部材２と２ａ、３と３ａを留めて、背もたれ部では、図４に示すような取り付け部材８の４ａを４に、９ａを９に、１０ａを１０に留めて、利用者が移乗の際に、ずれにくくした車いすに敷くタオル。
【００１０】  図１のタオルの背もたれ部に、取り付け部材４、座面部に、取り付け部材６を縫いつけた図５のようなタオルを、車いすの肘掛けと背もたれ部に掛け、肘掛けの取り付け部材２と２ａ、３と３ａを留めて、図６に示すような長手取り付け部材７を車椅子の背もたれ部および座面部裏側へまわして、長手取り付け部材の４ｂを背もたれ部４に、６ｂを座面部６に留めて、利用者が移乗の際に、ずれにくくした車いすに敷くタオル。
【００１１】  図１の車いす用敷きタオルにについて、車いすの背もたれ部と肘掛けに掛け、取り付け部材を肘掛けに留めて、背もたれ部にゴムひもや紐を巻き、利用者が移乗の際に、ずれにくくした車いすに敷くタオル。
【００１２】  図１のタオルの背もたれ部に、取り付け部材４、および長手の取り付け部材５を縫い付けた図７、図８のようなタオルについて、背もたれ部、座面部および両コーナーの肘掛けの取り付け部材をはずし、左右の肘掛けの取り付け部材２ａ、３ａのどちらかを、縫い付けてある長手の取り付け部材５に留めると、ウエストで固定され、施設や在宅などで着替えのときに用いられる巻き付け用タオルとしても使える。
【００１３】    図３のような車いす用敷きタオルに、図４のような取り付け部材を留めたものについて、両コーナーの肘掛けの取り付け部材および取り付け部材８をはずし、左右の肘掛けの取り付け部材に、９ａ、１０ａを留めるとウエストで固定され、施設や在宅などで着替えのときに用いられる巻き付け用タオルとしても使える。
【００１４】  図５のような車いす用敷きタオルについて、図９に示すような長手取り付け部材１１を車椅子の背もたれ部および座面部裏側へまわして、長手取り付け部材１１の４ｃを背もたれ部４に、６ｃを座面部６に留めて、利用者が移乗の際に、ずれにくくした車いす用敷きタオルについて、両コーナーの肘掛けの取り付け部材および長手の取り付け部材１１をはずし、左右の肘掛けの取り付け部材に長手の取り付け部材４ｃ、６ｃを留めるとウエストで固定され、施設や在宅などで着替えのときに用いられる巻き付け用タオルとしても使える。
【００１５】    正方形のタオルの角を落としても良い。
【００１６】    正方形のタオルの角を落とし、丸くしても良い。
【００１７】    正方形のタオルの角を落とし、丸くし、周囲にパイピング加工しても良い。
【発明の効果】
【００１８】  正方形のタオル地を利用し、両コーナーの肘掛け部の取り付け部材を合わせて、車いすに留めるため、利用者の移乗の際にずれることがなく、利用者が車いす上で快適に過ごせる。
【００１９】  正方形のタオル地を利用し、両コーナーの肘掛け部および背もたれ部の取り付け部材を合わせて、車いすに留めるため、利用者の移乗の際にずれることがなく、利用者が車いす上で快適に過ごせる。
【００２０】  正方形のタオル地を利用し、両コーナーの肘掛け、背もたれ部および座面部の取り付け部材を合わせて、車いすに留めるため、利用者の移乗の際にずれることがなく、利用者が車いす上で快適に過ごせる。
【００２１】  正方形のタオル地を利用し、両コーナーの肘掛けの取り付け部材を合わせて、肘掛けに留めるため、車いすの車輪に、タオルが巻き付く危険はない。
【００２２】  衣服の着用介助時に、背もたれ部および座面部に敷かれて利用者が座った状態で、車いす用敷きタオルを利用者の身体に巻き付けるため、利用者のプライバシーが守られる。
【図面の簡単な説明】
【図１】車いす用敷きタオル０１
【図２】車いす用敷きタオル０２
【図３】車いす用敷きタオル０３
【図４】取り付け部材０１
【図５】車いす用敷きタオル０４
【図６】長手取り付け部材０２
【図７】車いす用敷きタオル０５
【図８】車いす用敷きタオル０５の肘掛けの稜線で折り返し、裏も見た図
【図９】長手取り付け部材０３
【図１０】正方形のタオルの角を落とし、丸くした車いす用敷きタオル
【図１１】車いす上に敷いた車いす用敷きタオルの様子
【図１２】車いす上で利用者に車いす用敷きタオルを巻いた様子
【符号の説明】
１      車いす用敷きタオル
２      肘掛け部取り付け部材
２ａ    肘掛け部取り付け部材
２ｂ    肘掛け部取り付け部材
３      肘掛け部取り付け部材
３ａ    肘掛け部取り付け部材
３ｂ    肘掛け部取り付け部材
４      背もたれ部取り付け部材
４ａ    背もたれ部取り付け部材
４ｂ    背もたれ部取り付け部材
４ｃ    背もたれ部取り付け部材
５      長手取り付け部材
６      座面部取り付け部材
６ｂ    座面部取り付け部材
６ｃ    座面部取り付け部材
７      長手取り付け部材
８      取り付け部材
９      背もたれ部取り付け部材
９ａ    背もたれ部取り付け部材
１０    背もたれ部取り付け部材
１０ａ  背もたれ部取り付け部材
１１    長手取り付け部材
【図１】
2005111235.tif 000003
【図２】
2005111235.tif 000004
【図３】
2005111235.tif 000005
【図４】
2005111235.tif 000006
【図５】
2005111235.tif 000007
【図６】
2005111235.tif 000008
【図７】
2005111235.tif 000009
【図８】
2005111235.tif 000010
【図９】
2005111235.tif 000011
【図１０】
2005111235.tif 000012
【図１１】
2005111235.tif 000013
【図１２】
2005111235.tif 000014